(57)【要約】【課題】アジテータ車内でのコンクリートの流動性の測定を可能とする測定装置を提供すること。【解決手段】測定装置(10)は、開放された上端を含む上部(22)及び閉鎖された下端を含む下部(24)からなる筒状容器(12)を備える。筒状容器は、その上部及び下部にそれぞれ設けられたコンクリート(C)中のモルタル成分の流入を許す１又は複数の孔(26)及びモルタル成分の流入量を示す目盛(28)を有する。測定装置は、さらに、筒状容器の下部及び上部にそれぞれ取り付けられた錘(20)及び浮(32)きと、筒状容器の上部又は浮きに取り付けられた糸(34)とを備える。錘及び浮きは、筒状容器内へのモルタル成分の流入前から流入後の間において筒状容器を孔がコンクリート中に埋没する状態に維持する。【選択図】図１
2019158813.tif 000002
【特許請求の範囲】
【請求項１】
開放された上端を含む上部及び閉鎖された下端を含む下部からなる筒状容器であって前記上部及び前記下部にそれぞれ設けられたコンクリート中のモルタル成分の流入を許す１又は複数の孔及び前記モルタル成分の流入量を示す目盛を有する筒状容器と、
前記筒状容器の下部及び上部にそれぞれ取り付けられた錘及び浮きであって前記筒状容器内への前記モルタル成分の流入前から流入後の間において前記筒状容器を前記孔が前記コンクリート中に埋没する状態に維持する錘及び浮きと、
前記筒状容器の上部又は前記浮きに取り付けられた糸とを備える、コンクリートの流動性測定装置。
【請求項２】
さらに、前記筒状容器の上部に設けられ前記上端及び複数の孔との間において前記上部の周囲を取り巻く鍔を有し、
前記浮きは前記上端と前記鍔との間に配置されている、請求項１に記載のコンクリートの流動性測定装置。
【請求項３】
前記浮きは発泡プラスチック製の板体からなる、請求項１又は２に記載のコンクリートの流動性測定装置。
【発明の詳細な説明】
【技術分野】
【０００１】
本発明は、コンクリートの流動性の測定に用いられる装置に関する。
【背景技術】
【０００２】
従来、開放された上端を含む上部及び閉鎖された下端を含む下部からなる筒状容器からなるコンクリートの流動性測定装置が提案されている。筒状容器はその上部及び下部にそれぞれ設けられたコンクリート（生コンクリート）中のモルタル成分の流入を許す１又は複数の孔及び前記モルタル成分の流入量を示す目盛を有する。
【０００３】
この測定装置によれば、コンクリートの流動性の測定に際し、筒状容器がその開放上端を空中に残して測定対象であるコンクリート中に挿入され、予め定められた所定の時間、前記コンクリート中に存置される。存置の間、前記コンクリートのモルタル成分が筒状容器の上部の孔を経て筒状容器内に流入しその下部に貯まる。所定時間の経過後、筒状容器が前記コンクリート中から抜き出される。前記コンクリートの流動性は、筒状容器の下部に貯まったモルタル成分の量を目盛から読み取ることにより評価される。
【０００４】
ところで、前記測定装置を用いてのコンクリートの流動性の測定は、通常、コンクリートの運搬車であるアジテータ車からコンクリートの一部を取り出して行われる。しかし、コンクリートの流動性に関する測定を前記アジテータ車内で行うことができれば、これをより能率的に行うことができる。
【先行技術文献】
【特許文献】
【０００５】
【特許文献１】特開平９−３０４２６０号公報
【発明の概要】
【発明が解決しようとする課題】
【０００６】
本発明の目的は、前記したところに鑑み、アジテータ車内でのコンクリートの流動性の測定を可能とする測定装置を提供することにある。
【課題を解決するための手段】
【０００７】
本発明はコンクリートの流動性を測定する装置に係る。前記測定装置は、開放された上端を含む上部及び閉鎖された下端を含む下部からなる筒状容器を備える。前記筒状容器は、その上部及び下部にそれぞれ設けられたコンクリート中のモルタルの流入を許す１又は複数の孔及び前記モルタルの流入量を示す目盛を有する。本発明にあっては、前記測定装置が、さらに、前記筒状容器の下部及び上部にそれぞれ取り付けられた錘及び浮きと、前記筒状容器の上部又は前記浮きに取り付けられた糸とを備える。前記錘及び浮きは、前記筒状容器内への前記モルタルの流入前から流入後の間において前記筒状容器を前記複数の孔が前記コンクリート中に埋没する状態に維持する。
【０００８】
本発明に係る測定装置は、前記筒状容器の下部及び上部にそれぞれ取り付けられた錘及び浮きを備える。前記錘及び浮きは前記筒状容器内への前記モルタルの流入前から流入後の間において前記筒状容器を前記孔が前記コンクリート中に埋没する状態に維持する。このことから、アジテータ車のドラムの回転を一時的に停止する間に前記測定装置を前記ドラム内のコンクリート中に投入することにより、前記孔を通して、前記筒状容器の内部に前記コンクリートのモルタル成分を導き入れ、その下部内に貯めることができる。その後、前記糸を手繰り寄せることにより前記測定装置を前記ドラム外に回収し、回収した前記筒状容器内のモルタル成分の量を前記目盛から読み取ることができる。
【０００９】
前記測定装置は、さらに、前記筒状容器の上部に設けられ前記上端及び前記孔との間において前記上部の周囲を取り巻く鍔を有し、前記浮きが前記上端と前記鍔との間に配置されたものとすることができる。また、前記浮きは発泡プラスチック製の板体からなるものとすることができる。
【図面の簡単な説明】
【００１０】
【図１】本発明の一の実施形態に係る測定装置の斜視図である。
【図２】アジテータ車のドラム内のコンクリート中に投入された測定装置の正面図である。
【発明を実施するための形態】
【００１１】
図１及び図２を参照すると、本発明の一の実施形態に係るコンクリート（生コンクリート）Ｃの流動性を測定するための装置が全体に符号１０で示されている。測定装置１０は、筒状容器１２を備える。
【００１２】
図示の筒状容器１２は、プラスチック製、ガラス製等の透明な円筒１８と、該円筒に固定され円筒１８の開放両端の一方に嵌合されこれを塞ぐ閉塞部材２０とにより形成されている。このように形成された筒状容器１２は、円筒１８の前記開放両端の他の一方からなる開放された上端２２ａを含む上部２２と、閉塞部材２０が規定する閉鎖された下端２４ａを含む下部２４とを有する。
【００１３】
筒状容器１２の上部２２及び下部２４には、それぞれ、コンクリートＣ中のモルタル成分の流入を許す複数列（図示の例においては４列）の孔群２６及び前記モルタル成分の流入量を測るための複数列（図示の例においては４列）の目盛２８が設けられている。４列の孔群２６及び４列の目盛２８は、それぞれ、筒状容器１２（円筒１８）の周方向に互いに等間隔をおいて配置されている。
【００１４】
図示の孔群２６は、各列において上下方向に互いに間隔をおいて配置された複数の円孔の集合からなる。図示の例に代えて、孔群２６は、各列において上下方向に伸びる１つの長孔（図示せず）の集合（全部で４つ）からなるものとすることができる。また、複数列の孔群とする図示の例に代えて、一列の複数の円孔２６又は前記１つの長孔とし、また、複数列の目盛２８とすることに代えて一列の目盛２８とすることができる。
【００１５】
図示の例にあっては、筒状容器１２の上部２２に該上部の周囲を取り巻く板状の鍔３０が設けられている。鍔３０は、筒状容器１２の上端２２ａと、各列の孔群２６との間に位置する。
【００１６】
測定装置１０によるコンクリートＣの流動性の測定に際しては、筒状容器１２が、その上端２２ａを空中に残してコンクリートＣ中に所定時間、存置される。存置の間、コンクリートＣのモルタル成分が筒状容器１２の上部２２の孔群２６を経て筒状容器１２内に流入しその下部２４に貯まる。所定時間の経過後、筒状容器がコンクリートＣ中から抜き出される。コンクリートＣの流動性は、筒状容器１２の下部２４に貯まったモルタル成分の量をいずれかの目盛２８から読み取ることにより評価される。
【００１７】
測定装置１０は、さらに、錘と、浮き３２と、糸３４とを備える。
【００１８】
図示の例にあっては筒状容器１２の下端２４ａを規定する閉塞部材２０が鉄のような重量物からなり、前記錘（以下、必要に応じてこれに符号２０を付す。）を構成する。
【００１９】
図示の浮き３２は、筒状容器１２の上端２２ａと鍔３０との間に配置されている。浮き３２は、例えば発泡プラスチック製の板体からなるものとすることができる。図示の例において、浮き３２は、筒状容器１２の上部２２の周囲を同心的に取り巻く円環状の板体からなる。浮き３２は、図示の例に代えて、複数列の孔群２６と鍔３０との間に配置することが可能である。
【００２０】
錘２０及び浮き３２は、筒状容器１２内への前記モルタル成分の流入前から流入後の間において筒状容器１２を孔群２６がコンクリートＣ中に埋没する状態に維持する。より詳細には、錘２０及び浮き３２は、筒状容器１２に対して、それぞれ、前記モルタル成分が流入する前の空の筒状容器１２及び流入した前記モルタル成分を含む筒状容器１２のいずれをもその上端２２ａを空中に残してコンクリートＣ中に鉛直方向へ伸びるように沈める重量及び浮力を及ぼす。
【００２１】
糸３４はテグス、ワイヤ等からなり、その一端において、筒状容器１２の上部２２に取り付けられている。糸３４は、図示の例に代えて、浮き３２に取り付けることができる。
【００２２】
この測定装置１０によるコンクリートＣの流動性の測定に当たっては、アジテータ車のドラムの回転を一時的に止め、前記ドラム内に錘２０を下にして測定装置１０を投入する。前記ドラム内に投入された測定装置１０は、錘２０の自重と浮き３２の浮力作用とにより、その筒状容器１２の下部２４及び上部２２の一部分が前記ドラム内のコンクリートＣ中にありかつ筒状容器１２の上端２２ａが空中に位置するように鉛直に保持される。コンクリートＣ中への投入後、所定の時間、例えば１０秒間を経過した後、糸３４を手繰り寄せて測定装置１０をコンクリートＣ中から引き上げる。その後、筒状容器１２の目盛２８を読んで、筒状容器１２の下部２４に貯まった前記モルタル成分の量を測る。前記モルタル成分の測定量により、コンクリートＣの流動性が評価される。測定装置１０の引き上げ後、前記アジテータ車のドラムの回転が再開される。
【符号の説明】
【００２３】
１０  測定装置
１２  筒状容器
１４  仕切り部材
１６  閉鎖部材
２０  閉塞部材（錘）
２２  上部
２２ａ  上端
２４  下部
２４ａ  下端
２６  孔
２８  目盛
３０  鍔
３２  浮き
３４  糸
Ｃ  コンクリート
【図１】
2019158813.tif 000003
【図２】
2019158813.tif 000004